【手続補正書】
【提出日】平成23年3月8日(2011.3.8)
【手続補正１】
【補正対象書類名】特許請求の範囲
【補正対象項目名】全文
【補正方法】変更
【補正の内容】
【特許請求の範囲】
【請求項１】
アクリル酸およびメタクリル酸から選択される少なくとも一方、並びに、疎水性の単量体の共重合体であるアニオン性の吸液材料と、外部からの刺激により硬化する硬化性樹脂前駆体と、を含有する画像記録用組成物。
【請求項２】
界面活性剤を含有する請求項１に記載の画像記録用組成物。
【請求項３】
前記界面活性剤がノニオン性界面活性剤である請求項２に記載の画像記録用組成物。
【請求項４】
前記硬化性樹脂前駆体が、紫外線を照射されることによりラジカル反応によって硬化する請求項１〜請求項３の何れか１項に記載の画像記録用組成物。
【請求項５】
請求項１〜請求項４の何れか１項に記載の画像記録用組成物と、インクと、を有する画像記録用インクセット。
【請求項６】
中間転写体と、
請求項１〜請求項４の何れか１項に記載の画像記録用組成物を前記中間転写体上に供給する供給手段と、
前記中間転写体上に供給された前記画像記録用組成物により形成された被硬化層にインクを吐出する吐出手段と、
前記インクが吐出された前記被硬化層を前記中間転写体から記録媒体に転写する転写手段と、
前記被硬化層を硬化させる刺激を供給する刺激供給手段と、
を有する記録装置。
【請求項７】
請求項１〜請求項４の何れか１項に記載の画像記録用組成物を記録媒体上に供給する供給手段と、
前記記録媒体上に供給された前記画像記録用組成物により形成された被硬化層にインクを吐出する吐出手段と、
前記被硬化層を硬化させる刺激を供給する刺激供給手段と、
を有する記録装置。
【手続補正２】
【補正対象書類名】明細書
【補正対象項目名】０００６
【補正方法】変更
【補正の内容】
【０００６】
上記課題は、以下の手段により解決される。即ち、
請求項１に係る発明は、
アクリル酸およびメタクリル酸から選択される少なくとも一方、並びに、疎水性の単量体の共重合体であるアニオン性の吸液材料と、外部からの刺激により硬化する硬化性樹脂前駆体と、を含有する画像記録用組成物である。
【手続補正３】
【補正対象書類名】明細書
【補正対象項目名】０００７
【補正方法】削除
【補正の内容】
【手続補正４】
【補正対象書類名】明細書
【補正対象項目名】０００８
【補正方法】変更
【補正の内容】
【０００８】
請求項２に係る発明は、
界面活性剤を含有する請求項１に記載の画像記録用組成物である。
【手続補正５】
【補正対象書類名】明細書
【補正対象項目名】０００９
【補正方法】変更
【補正の内容】
【０００９】
請求項３に係る発明は、
前記界面活性剤がノニオン性界面活性剤である請求項２に記載の画像記録用組成物である。
【手続補正６】
【補正対象書類名】明細書
【補正対象項目名】００１０
【補正方法】変更
【補正の内容】
【００１０】
請求項４に係る発明は、
前記硬化性樹脂前駆体が、紫外線を照射されることによりラジカル反応によって硬化する請求項１〜請求項３の何れか１項に記載の画像記録用組成物である。
【手続補正７】
【補正対象書類名】明細書
【補正対象項目名】００１１
【補正方法】変更
【補正の内容】
【００１１】
請求項５に係る発明は、
請求項１〜請求項４の何れか１項に記載の画像記録用組成物と、インクと、を有する画像記録用インクセットである。
【手続補正８】
【補正対象書類名】明細書
【補正対象項目名】００１２
【補正方法】変更
【補正の内容】
【００１２】
請求項６に係る発明は、
中間転写体と、
請求項１〜請求項４の何れか１項に記載の画像記録用組成物を前記中間転写体上に供給する供給手段と、
前記中間転写体上に供給された前記画像記録用組成物により形成された被硬化層にインクを吐出する吐出手段と、
前記インクが吐出された前記被硬化層を前記中間転写体から記録媒体に転写する転写手段と、
前記被硬化層を硬化させる刺激を供給する刺激供給手段と、
を有する記録装置である。
【手続補正９】
【補正対象書類名】明細書
【補正対象項目名】００１３
【補正方法】変更
【補正の内容】
【００１３】
請求項７に係る発明は、
請求項１〜請求項４の何れか１項に記載の画像記録用組成物を記録媒体上に供給する供給手段と、
前記記録媒体上に供給された前記画像記録用組成物により形成された被硬化層にインクを吐出する吐出手段と、
前記被硬化層を硬化させる刺激を供給する刺激供給手段と、
を有する記録装置である。
【手続補正１０】
【補正対象書類名】明細書
【補正対象項目名】００１５
【補正方法】変更
【補正の内容】
【００１５】
また、請求項１に係る発明によれば、吸液材料がアクリル酸およびメタクリル酸から選択される少なくとも一方と疎水性の単量体との共重合体でない場合に比べ、環境変動に対する画像劣化の発生が抑制される。
【手続補正１１】
【補正対象書類名】明細書
【補正対象項目名】００１６
【補正方法】変更
【補正の内容】
【００１６】
請求項２に係る発明によれば、界面活性剤を含有しない場合に比べ、画像ムラが抑制された画像を得ることができる。
【手続補正１２】
【補正対象書類名】明細書
【補正対象項目名】００１７
【補正方法】変更
【補正の内容】
【００１７】
請求項３に係る発明によれば、界面活性剤がノニオン性でない場合に比べ、さらに画像ムラが抑制された画像を得ることができる。
【手続補正１３】
【補正対象書類名】明細書
【補正対象項目名】００１８
【補正方法】変更
【補正の内容】
【００１８】
請求項４に係る発明によれば、硬化性樹脂前駆体が紫外線を照射されることによりラジカル反応によって硬化するものでない場合に比べ、硬化反応が高速で進行する。
【手続補正１４】
【補正対象書類名】明細書
【補正対象項目名】００１９
【補正方法】変更
【補正の内容】
【００１９】
請求項５に係る発明によれば、本構成を有しない場合に比べ、にじみの発生が抑制された画像が得られる画像記録用インクセットを提供することができる。
【手続補正１５】
【補正対象書類名】明細書
【補正対象項目名】００２０
【補正方法】変更
【補正の内容】
【００２０】
請求項６に係る発明によれば、本構成を有しない場合に比べ、にじみの発生が抑制された画像が得られる記録装置を提供することができる。
【手続補正１６】
【補正対象書類名】明細書
【補正対象項目名】００２１
【補正方法】変更
【補正の内容】
【００２１】
請求項７に係る発明によれば、本構成を有しない場合に比べ、にじみの発生が抑制された画像が得られる記録装置を提供することができる。
【手続補正１７】
【補正対象書類名】明細書
【補正対象項目名】００２２
【補正方法】変更
【補正の内容】
【００２２】
以下、本発明の好ましい実施形態について詳細に説明する。
＜画像記録用組成物＞
本実施形態に係る画像記録用組成物は、アクリル酸およびメタクリル酸から選択される少なくとも一方、並びに、疎水性の単量体の共重合体であるアニオン性の吸液材料と、外部からの刺激により硬化する硬化性樹脂前駆体と、を含有することを特徴とする。
吸液材料としてアニオン性の吸液材料を用いることにより、本実施形態に係る硬化性樹脂前駆体によって形成された被硬化層上にインクが吐出された際、アニオン部位で水和イオンが発生し、また、吸液材料内のアニオン部位同士が反発しあうことにより、分子間距離が大きくなり、インク受容のための空間が形成されることで、インク吸液性が向上すると考えられる。
【手続補正１８】
【補正対象書類名】明細書
【補正対象項目名】００２４
【補正方法】変更
【補正の内容】
【００２４】
（吸液材料）
本実施形態に係る画像記録用組成物は、前述の通り、アニオン性の吸液材料を含有する。上記吸液材料としては、アクリル酸およびメタクリル酸から選択される少なくとも一方と疎水性の単量体との共重合体であり、アニオン性であって且つ水性溶媒を吸収するものであれば何でもよい。
【手続補正１９】
【補正対象書類名】明細書
【補正対象項目名】００３０
【補正方法】変更
【補正の内容】
【００３０】
特に、上記アニオン性の吸液材料としては、環境変動による画像劣化抑制の観点から、前記アクリル酸および前記メタクリル酸から選択される少なくとも一方と前記疎水性の単量体との共重合体が用いられる。該共重合体の例としては、スチレン−（メタ）アクリル酸およびその塩の共重合体、スチレン−（メタ）アクリル酸エステル−（メタ）アクリル酸およびその塩の共重合体等が挙げられる。
【手続補正２０】
【補正対象書類名】明細書
【補正対象項目名】００９８
【補正方法】変更
【補正の内容】
【００９８】
第１実施形態に係る記録装置１０１は、図１に示すように、例えば、中間転写ドラム（中間転写体）１０、中間転写ドラム１０上に、アクリル酸およびメタクリル酸から選択される少なくとも一方、並びに、疎水性の単量体の共重合体であるアニオン性の吸液材料と外部からの刺激（エネルギー）により硬化する硬化性樹脂前駆体とを少なくとも含有する画像記録用組成物１２Ａを供給して画像記録用組成物１２Ａにより形成された被硬化層１２Ｂを形成する溶液供給装置１２と、被硬化層１２Ｂ上にインク滴１４Ａを吐出し画像Ｔを形成するインクジェット記録ヘッド１４と、記録媒体Ｐを中間転写ドラム１０に重ね合わせ圧力を加えることにより画像Ｔが形成された被硬化層１２Ｂを記録媒体Ｐ上に転写する転写装置１６と、記録媒体Ｐ上に転写された被硬化層１２Ｂを硬化する刺激を供給する刺激供給装置１８と、を含んで構成されている。
【手続補正２１】
【補正対象書類名】明細書
【補正対象項目名】０１４８
【補正方法】変更
【補正の内容】
【０１４８】
記録装置１０４は、例えば、記録媒体Ｐ上に、アクリル酸およびメタクリル酸から選択される少なくとも一方、並びに、疎水性の単量体の共重合体であるアニオン性の吸液材料と外部からの刺激（エネルギー）により硬化する硬化性樹脂前駆体とを含有する画像記録用組成物１２Ａを供給して画像記録用組成物１２Ａにより形成された被硬化層１２Ｂを形成する溶液供給装置１２と、被硬化層１２Ｂ上にインク滴１４Ａを吐出し画像Ｔを形成するインクジェット記録ヘッド１４と、被硬化層１２Ｂを硬化する刺激を供給する刺激供給装置１８と、を含んで構成されている。
【手続補正２２】
【補正対象書類名】明細書
【補正対象項目名】０１５４
【補正方法】変更
【補正の内容】
【０１５４】
以下、実施例を挙げてさらに具体的に説明する。ただし、これら各実施例により特に制限されるものではない。尚、以下において「部」とは、特に断りのない限り質量基準である。但し、以下に示す実施例２および実施例５は何れも参考例として示すものである。